(57)【要約】      （修正有）【課題】穿き口にゆったり感を持たせたとしても、ずれが生じにくい靴下を提供することと。【解決手段】靴下は、着用時に足首近辺にくる部位に締め付け部を形成し、該締め付け部から爪先部までの間に緩衝部を設けた。又靴下における締め付け部に裏糸としてポリウレタン糸を２本以上使用し、緩衝部には裏糸としてポリウレタン糸を１本以下使用した。更に靴下における締め付け部に裏糸として弾性力の強いポリウレタン糸を使用し、緩衝部には裏糸として弾性力の弱いポリウレタン糸を使用した。【選択図】図１
0003117341.tif 000002
【実用新案登録請求の範囲】
【請求項１】
着用時に足首近辺にくる部位に締め付け部を形成し、該締め付け部から爪先部までの間に緩衝部を設けた靴下。
【請求項２】
締め付け部には裏糸としてポリウレタン糸を２本以上使用し、緩衝部には裏糸としてポリウレタン糸を１本以下使用した請求項１記載の靴下。  
【請求項３】
締め付け部には裏糸として弾性力の強いポリウレタン糸を使用し、緩衝部には裏糸として弾性力の弱いポリウレタン糸を使用した請求項１記載の靴下。  
【考案の詳細な説明】
【技術分野】
【０００１】
本考案はずれ落ち防止機能を有する靴下に関し、より詳しくは穿き口がくるぶし近辺にくる、いわゆるアンクレット型の靴下において実施することが好適なずれ落ち防止機能を有する靴下に関する。
【背景技術】
【０００２】
一、  丸編み機を用いた靴下の一般的な編成方法は以下のようなものである。
【０００３】
図４は靴下の各部を示す説明図である。靴下は一般に口ゴム部Ａ、身部Ｂ及び足部Ｃの３部に大別される。
【０００４】
口ゴム部Ａはゴム編みやゴム糸を挿入した平編みで編成することで伸縮性を大きくし、靴下のずれ落ちを防止する役目を果たす。
【０００５】
身部Ｂは平編み等の任意の組織で編成する。
【０００６】
足部Ｃは更に踵部Ｃ１、足甲部Ｃ２、足底部Ｃ３及び爪先部Ｃ４の各部に分かれる。踵部Ｃ１はゴアラインを中心として何回も目減らし・目増やしを行って編成する。足甲部Ｃ２及び足底部Ｃ３は平編み等の任意の組織で編成する。最後に編成される爪先部Ｃ４は足底側から編成を始め、ゴアラインを中心として何回も目減らし・目増やしを行って編成する。
【０００７】
二、  かようにして編成される靴下の一種として、口ゴム部（穿き口）が着用者のくるぶし近辺にくるアンクレット型と呼ばれるものがある。このアンクレット型の靴下として、図３に示すような穿き口１にゆったり感を持たせくるぶし近辺における締め付け感を少なくしたものが存在する。
【０００８】
穿き口１にゆったり感を持たせる方法は口ゴム部にゴム糸を挿入しないか、或いは挿入したとしても少数にとどめることによる。
【０００９】
但し、かように穿き口１にゆったり感を持たせたことに伴い着用時に靴下がずれることになってしまう。そこで係るずれを防止するために踵部２の編成に入る前の数コース及び踵部２の編成が終わった後の数コースに強めの弾性力を付与し締め付け部３を形成することでずれを防止する役目を果たさせることがある。
【００１０】
ここに弾性力を付与する方法としてはゴム糸を挿入する方法や、編組織に変化を与える方法等が採られている。
【００１１】
三、  又、ずれ防止機能を有するアンクレット型の靴下に関する特許文献として、特開２００１−１６４４０５号公報がある。ここに同公報記載の靴下は踵部分を十分に包み込む余裕のある編地により踵部を作り、ずれを防止するというものである。
【特許文献１】特開２００１−１６４４０５号公報
【考案の開示】
【考案が解決しようとする課題】
【００１２】
穿き口にゆったり感を持たせたうえで締め付け部を形成することでずれを防止するという上述の靴下においても、激しい動きをする際などに踵部部がずれ落ち穿き心地が悪くな
ることが多々ある。そこで本考案は穿き口にゆったり感を持たせたとしても、ずれが生じにくい靴下を提供することを目的とする。
【課題を解決するための手段】
【００１３】
上記課題を解決するために請求項１記載の靴下は、着用時に足首近辺にくる部位に締め付け部を形成し、該締め付け部から爪先部までの間に緩衝部を設けた。
【００１４】
又請求項２記載の靴下は、請求項１記載の靴下における締め付け部に裏糸としてポリ
ウレタン糸を２本以上使用し、緩衝部には裏糸としてポリウレタン糸を１本以下使用した。  
【００１５】
更に請求項３記載の靴下は、請求項１記載の靴下における締め付け部に裏糸として弾性力の強いポリウレタン糸を使用し、緩衝部には裏糸として弾性力の弱いポリウレタン糸を使用した。  
【考案の効果】
【００１６】
本考案は従来例のように着用時に足首近辺にくる部位に、ずれ防止のための締め付け部１１が形成してある。
【００１７】
但し、この締め付け部１１だけでは上述のように激しい運動をした際などに踵部がずれ落ちてしまう。なぜなら運動時等には爪先部位に力が入ることが多く、靴下が爪先方向に引張られるからである。
【００１８】
そこで本考案では図１に示すように締め付け部１１と爪先部１４との間に緩衝部１３を設けた。ここに緩衝部１３は伸縮性に富む性質を有するものである。それゆえ爪先部１４が引張られた際に当該緩衝部１３が伸び、これにより爪先部１４方向に引張られる力が緩衝され、つまりは踵部１２がずれることが防止されるのである。
【００１９】
かようにして本考案によれば、穿き口にゆったり感を持たせたとしてもずれが生じにくい靴下を提供することが可能となるのである。
【考案を実施するための最良の形態】
【００２０】
以下、好ましい考案の一実施形態につき図面を参照しながら述べる。
【００２１】
本考案に係る靴下は締め付け部１１及び緩衝部１３を除き、背景技術で述べた一般的な靴下の編成方法によって構わない。そこで以下締め付け部１１及び緩衝部１３の編成方法につき述べる。
【００２２】
請求項１記載の靴下においては締め付け部１１に強い弾性力を付与し、緩衝部１３には弱い弾性力が付与してある。
【００２３】
かように弾性力の強弱に変化をつける方法としては、ゴム糸やスパンデックス糸等の弾性力に富んだ糸の挿入本数に変化を与える。つまり締め付け部１１には多数本挿入し、緩衝部１３には少数本挿入するといった方法が考えられる。
【００２４】
他の方法としては弾性糸を挿入するコース数に変化を与えるという手段も考えられる。つまり締め付け部１１は多コースに弾性糸を挿入し、緩衝部１３には少数コースに弾性糸を挿入するのである。
【００２５】
更に別の方法としては編み組織に変化を与えるということも考えられる。締め付け部１
１には弾性力に富む編み組織を、緩衝部１３には弾性力に乏しい編み組織を用いるのである。
【００２６】
又別の方法としては使用する糸に変化を持たせるということも考えられる。締め付け部１１には弾性力に富む糸を、緩衝部１３には弾性力に乏しい糸を用いるのである。
【００２７】
無論上述の方法を複数組み合わせることで締め付け部１１、緩衝部１３を形成すること
も可能である。
【００２８】
請求項２及び請求項３記載の靴下は主に度目の粗密によって弾性力に強弱を付与している。
【００２９】
すなわち請求項２記載の靴下においては締め付け部１１の編成時に、裏糸としてポリウレタン糸を２本以上使用する。かように多数本のポリウレタン糸による弾性力により、図２ｂ示されるように度目２１が密なものとなりつまりは弾性力が強度なものとなる。すなわちは十分な締め付け力が確保されるのである。
【００３０】
これに対し緩衝部１３においては裏糸としてポリウレタン糸を１本以下使用している。これにより弾性力が弱まり、つまりは図２ａに示されるように度目２０が粗なものとなる。これにより弾性力が弱まりつまりは伸縮性に富むものとなり緩衝作用を果たすことが可能となるのである。
【００３１】
請求項３記載の靴下においては、締め付け部１１の編成時に裏糸として弾性力の強いポリウレタン糸を使用する。例えばデニールの大きいポリウレタン糸等である。かように弾性力の強いポリウレタン糸を使うことにより、図２ｂ示されるように度目２１が密なものとなりつまりは弾性力が強度なものとなる。すなわちは十分な締め付け力が確保されるのである。
【００３２】
これに対し緩衝部１３においては裏糸として弾性力の弱いポリウレタン糸を使用している。例えばデニールの小さいポリウレタン糸等である。これにより弾性力が弱まり、つまりは図２ａに示されるように度目２０が粗なものとなる。これにより弾性力が弱まりつまりは伸縮性に富むものとなり緩衝作用を果たすことが可能となるのである。
【図面の簡単な説明】
【００３３】
【図１】本考案の正面図。
【図２】度目の態様を示す説明図。
【図３】従来例の正面図。
【図４】靴下各部の名称を示す説明図。
【符号の説明】
【００３４】
１１・・締め付け部      １３・・緩衝部
【図１】
0003117341.tif 000003
【図３】
0003117341.tif 000004
【図４】
0003117341.tif 000005
【図２】
0003117341.tif 000006